【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
物体を撮像するための装置であって、前記装置は、
Ｘ線検出器と、
少なくとも１つのＸ線供給源と
を含み、
前記少なくとも１つのＸ線供給源は、前記少なくとも１つのＸ線供給源と前記Ｘ線検出器との間の領域の少なくとも一部が、物体を収容するための検査領域となるように、前記Ｘ線検出器に対して位置決めされており、
前記Ｘ線検出器は、複数のＸ線放射検出エリアを含み、前記複数のＸ線検出エリアは、複数の第１のピクセルを含む第１のエリアと、複数の第２のピクセルを含む第２のエリアとを含み、
前記少なくとも１つのＸ線供給源によって前記少なくとも１つのＸ線供給源の第１の空間的位置から放出される第１の放射線は、前記少なくとも１つのＸ線供給源によって前記少なくとも１つのＸ線供給源の第２の空間的位置から放出される第２の放射線が、前記第２のピクセルの少なくとも一部分によって受け取られる前に、前記第１のピクセルの少なくとも一部分によって受け取られるように、前記装置が構成され、前記第１の放射線は、放射線のパルスであり、前記第２の放射線は、前記第１の放射線とは異なる放射線のパルスであり、前記Ｘ線検出器は、ピクセルによって受け取られるＸ線放射がそのピクセルの中の信号の発生につながるように構成されており、
前記Ｘ線検出器は、前記第１のエリアに関連付けられている第１の複数のストレージノードと、前記第２のエリアに関連付けられている第２の複数のストレージノードとを含み、前記第１の複数のストレージノードは、前記複数の第１のピクセル上の対応する信号を表す複数の第１の信号を記憶し、前記第２の複数のストレージノードは、前記複数の第２のピクセル上の対応する信号を表す複数の第２の信号を記憶し、
前記Ｘ線検出器は、前記複数の第１の信号が記憶された後に、前記複数の第２の信号が記憶されるように構成されており、
前記Ｘ線検出器は、少なくとも１つのリセットを含み、前記少なくとも１つのリセットは、前記複数の第１のピクセルをリセットし、また、前記複数の第２のピクセルをリセットし、前記少なくとも１つのリセットが前記複数の第２のピクセルをリセットする前に、前記少なくとも１つのＸ線供給源によって放出される前記第１の放射線が第１のピクセルの前記一部分によって受け取られ、また、前記少なくとも１つのＸ線供給源によって放出される前記第２の放射線が第２のピクセルの前記一部分によって受け取られる前に、前記少なくとも１つのリセットが前記複数の第２のピクセルをリセットし、
前記Ｘ線検出器は、前記第１の複数のストレージノードに関連付けられた第１の読み出しと、前記第２の複数のストレージノードに関連付けられた第２の読み出しとを含み、前記第１の読み出しは、前記複数の第１の信号を読み出し、前記第２の読み出しは、前記複数の第２の信号を読み出し、前記複数の第１の信号の読み出しが終了する前に、前記少なくとも１つのＸ線供給源によって放出される前記第２の放射線が第２のピクセルの前記一部分によって受け取られるように、前記Ｘ線検出器が構成されている、装置。
【請求項２】
前記少なくとも１つのリセットが前記複数の第１のピクセルをリセットする前に、前記少なくとも１つのＸ線供給源によって放出される前記第２の放射線が第２のピクセルの前記一部分によって受け取られるように、前記Ｘ線検出器が構成されており、また、前記少なくとも１つのＸ線供給源によって放出される第３の放射線が第１のピクセルの前記一部分によって受け取られる前に、前記少なくとも１つのリセットが前記複数の第１のピクセルをリセットするように、前記Ｘ線検出器が構成されており、前記第３の放射線が、前記第１の放射線及び前記第２の放射線とは異なる放射線のパルスである、請求項１に記載の装置。
【請求項３】
前記複数の第２の信号の読み出しが終了する前に、前記少なくとも１つのＸ線供給源によって放出される前記第３の放射線が第１のピクセルの前記一部分によって受け取られるように、前記Ｘ線検出器が構成されている、請求項２に記載の装置。
【請求項４】
前記少なくとも１つのＸ線供給源によって第１の空間的位置から放出される第１の放射線は、
物体を撮像するためのＸ線検出器であって、前記Ｘ線検出器は、複数のＸ線放射検出エリアを含み、前記複数のＸ線検出エリアは、複数の第１のピクセルを含む第１のエリアと、複数の第２のピクセルを含む第２のエリアとを含み、
動作中、少なくとも１つのＸ線供給源によって第１の空間的位置から放出される第１の放射線は、前記少なくとも１つのＸ線供給源によって第２の空間的位置から放出される第２の放射線が、前記第２のピクセルの少なくとも一部分によって受け取られる前に、前記第１のピクセルの少なくとも一部分によって受け取られ、前記第１の放射線は、放射線のパルスであり、前記第２の放射線は、前記第１の放射線とは異なる放射線のパルスであり、前記Ｘ線検出器は、ピクセルによって受け取られるＸ線放射がそのピクセルの中の信号の発生につながるように構成されており、
前記Ｘ線検出器は、前記第１のエリアに関連付けられている第１の複数のストレージノードと、前記第２のエリアに関連付けられている第２の複数のストレージノードとを含み、前記第１の複数のストレージノードは、前記複数の第１のピクセル上の対応する信号を表す複数の第１の信号を記憶し、前記第２の複数のストレージノードは、前記複数の第２のピクセル上の対応する信号を表す複数の第２の信号を記憶し、
前記Ｘ線検出器は、前記複数の第１の信号が記憶された後に、前記複数の第２の信号が記憶されるように構成されており、
前記Ｘ線検出器は、少なくとも１つのリセットを含み、前記少なくとも１つのリセットは、前記複数の第１のピクセルをリセットし、また、前記複数の第２のピクセルをリセットし、前記少なくとも１つのリセットが前記複数の第２のピクセルをリセットする前に、前記少なくとも１つのＸ線供給源によって放出される前記第１の放射線が第１のピクセルの前記一部分によって受け取られ、また、前記少なくとも１つのＸ線供給源によって放出される前記第２の放射線が第２のピクセルの前記一部分によって受け取られる前に、前記少なくとも１つのリセットが前記複数の第２のピクセルをリセットし、
前記Ｘ線検出器は、前記第１の複数のストレージノードに関連付けられた第１の読み出しと、前記第２の複数のストレージノードに関連付けられた第２の読み出しとを含み、前記第１の読み出しは、前記複数の第１の信号を読み出し、前記第２の読み出しは、前記複数の第２の信号を読み出し、
前記複数の第１の信号の読み出しが終了する前に、前記少なくとも１つのＸ線供給源によって放出される前記第２の放射線が第２のピクセルの前記一部分によって受け取られるように構成されている、Ｘ線検出器。
【請求項５】
物体の撮像のための方法であって、前記方法は、
Ｘ線検出器の第１のエリアの第１のピクセルの少なくとも一部分によって、少なくとも１つのＸ線供給源によって第１の空間的位置から放出される第１の放射線を受け取るステップａ）であって、前記第１の放射線は、放射線のパルスであり、前記Ｘ線検出器は、ピクセルによって受け取られるＸ線放射がそのピクセルの中の信号の発生につながるように構成される、ステップａ）と、
前記第１のエリアに関連付けられた第１の複数のストレージノードの中に、前記複数の第１のピクセル上の対応する信号を表す複数の第１の信号を記憶するステップｂ）と、
前記ステップａ）の後、及び、ステップｅ）の前に、前記複数の第２のピクセルをリセットするステップｃ）と、
前記ステップｂ）の後に、前記第１の複数のストレージノードに関連付けられた第１の読み出しによって、前記複数の第１の信号を読み出すステップｄ）と、
前記ステップａ）の後に、前記Ｘ線検出器の第２のエリアの第２のピクセルの少なくとも一部分によって、前記少なくとも１つのＸ線供給源によって前記少なくとも１つのＸ線供給源の第２の空間的位置から放出される第２の放射線を受け取るステップｅ）であって、前記第２の放射線は、前記第１の放射線とは異なる放射線のパルスであり、前記ステップｄ）が終了する前に、前記ステップｅ）が開始する、ステップｅ）と、
前記第２のエリアに関連付けられた第２の複数のストレージノードの中に、前記複数の第２のピクセル上の対応する信号を表す複数の第２の信号を記憶するステップｇ）と
を有する、方法。
【請求項６】
前記ステップｅ）の後に、前記複数の第１のピクセルをリセットするステップｆ）と、
前記ステップｆ）の後に、前記Ｘ線検出器の前記第１のエリアの第１のピクセルの前記一部分によって、前記少なくとも１つのＸ線供給源によって放出される第３の放射線を受け取るステップｉ）と、
を有する、請求項５に記載の方法。
【請求項７】
前記ステップｇ）の後に、前記少なくとも１つの第２の複数のストレージノードに関連付けられた少なくとも１つの第２の読み出しによって、前記複数の第２の信号を読み出すステップｈ）を有し、
前記ステップｈ）が終了する前に、前記ステップｉ）を開始する、請求項６に記載の方法。
【請求項８】
前記ステップａ）は、
前記Ｘ線検出器の前記第１のエリアの第１のピクセルの第１のサブ部分によって、Ｘ線供給源によって放出される放射線を受け取るステップａ１）と、
前記Ｘ線検出器の前記第１のエリアの第１のピクセルの第２のサブ部分によって、前記ステップａ１）の前記Ｘ線供給源とは異なるＸ線供給源によって放出される放射線を受け取るステップａ２）とを有し、
前記少なくとも１つの第１の複数のストレージノードは、少なくとも２つの複数のストレージノードを含み、前記ステップｂ）は、
前記第１のエリアに関連付けられた複数のストレージノードの中に、第１のピクセルの前記第１のサブ部分上の対応する信号を表す複数の第１の信号を記憶するステップｂ１）と、
前記第１のエリアに関連付けられた複数のストレージノードの中に、第１のピクセルの前記第２のサブ部分上の対応する信号を表す複数の第１の信号を記憶するステップｂ２）であって、前記ステップｂ２中の前記複数のストレージノードは、前記ステップｂ１中の前記複数のストレージノードとは異なっている、ステップｂ２）と
を有し、
前記ステップｃ）は、
前記ステップａ１）の後に、前記複数の第１のピクセルをリセットし、前記ステップａ２）の後に、前記複数の第２のピクセルをリセットするステップｃ１）を有し、
前記ステップｅ）は、
前記Ｘ線検出器の前記第２のエリアの第２のピクセルの第１のサブ部分によって、Ｘ線供給源によって放出される放射線を受け取るステップｅ１）と、
前記Ｘ線検出器の前記第２のエリアの第２のピクセルの第２のサブ部分によって、前記ステップｅ１）の中の前記Ｘ線供給源とは異なるＸ線供給源によって放出される放射線を受け取るステップｅ２）と
を有し、
前記少なくとも１つの第２の複数のストレージノードは、少なくとも２つの複数のストレージノードを含み、前記ステップｇ）は、
前記第２のエリアに関連付けられた複数のストレージノードの中に、第２のピクセルの前記第１のサブ部分上の対応する信号を表す複数の第２の信号を記憶するステップｇ１）と、
前記第２のエリアに関連付けられた複数のストレージノードの中に、第２のピクセルの前記第２のサブ部分上の対応する信号を表す複数の第２の信号を記憶するステップｇ２）であって、前記ステップｇ２）中の前記複数のストレージノードは、前記ステップｇ１）中の前記複数のストレージノードとは異なっている、ステップｇ２）とを有する、請求項５から７のいずれか一項に記載の方法。
【請求項９】
請求項１から３のいずれか一項に記載の装置を制御するためのコンピュータープログラムであって、前記コンピュータープログラムは、プロセッサーによって実行されるときに、請求項５から８のいずれか一項に記載の方法を実施する、コンピュータープログラム。
【請求項１０】
請求項９に記載のコンピュータープログラムを記憶した、コンピューター可読媒体。